(57)【要約】【課題】  便利な洗濯機構造を提供することを課題とする。【解決手段】  洗濯機構造として、衣類を回転槽内部に投入した後、蓋で前記衣類投入口を閉めることで密閉の円筒体を形成させ、回転槽の両側端面上に槽軸を設け、固定台の軸孔内に対応して挿通することで、固定台と一体に直結することができ、前記固定台は、前記回転槽が可動的に設置でき、その一側端縁部内にクラッチ機構を嵌装するモータを設けてあり、洗濯時、モータにより回転槽が前後３６０度回転を駆動させ、衣類を回転槽内部で相互間の揉み洗い及びたたき洗い効果を生じさせ、回転で生じた遠心力を介して汚れを衣類から除去し、同時に好ましい洗濯効果を得、及び衣類が回転槽内において、モータ回転速度の高すぎによって損壊させないように、前記モータ回転軸端側に更にクラッチ機構を設け、モータ回転速度の制御により洗濯に最適な必要回転速度を得ることができる。【選択図】  図３
0003125467.tif 000002
【実用新案登録請求の範囲】
【請求項１】
主に回転槽及び固定台で構成され、
前記回転槽の上端部に衣類投入口を設け、下端部に排水口を設けてあり、前記衣類投入口を介して衣類を回転槽内部に投入でき、また蓋で前記衣類投入口を閉めることで密閉の円筒体を形成させ、回転槽の両側端面上に槽軸を設け、固定台の軸孔内に対応して挿通することで、固定台と一体に直結することができ、
前記固定台は、適切に設計されたもので、その上に制御モジュールを設けてあり、その一側端縁部内に回転槽の一側槽軸が可動枢着できる軸孔を設け、他側端縁部内に軸座を設け、前記軸座が凹陥する受け溝で、その凸面上に軸孔を設け、回転槽の他側の槽軸を枢着でき、保護ハウジングを受け溝内部に嵌設させでき、前記保護ハウジングの片側に軸座軸孔位置に対応する貫通孔を設け、保護ハウジング内にクラッチ機構を嵌装するモータを設けてあり、前記クラッチ機構前端が嵌装部材に連結することで一体化して前記保護ハウジング内部に設置し、前記側端縁部が筐体を介して上記構造を端縁部内部に密閉し、
上記の組み立てを介することで、洗濯時、モータの回転軸により回転槽が前後３６０度回転を駆動させ、またクラッチ機構によりモータ回転軸の回転速度を制御することで洗濯に最適な必要回転速度を得ることができ、衣類を回転槽内部で相互間の揉み洗い及びたたき洗い効果を生じさせ、回転で生じた遠心力を介して汚れを衣類から除去することを特徴とする、便利な洗濯機構造。
【請求項２】
請求項１記載の便利な洗濯機構造において、前記クラッチ機構は、前記モータの回転軸上に嵌装することでモータ回転軸の回転速度を制御できることを特徴とする、便利な洗濯機構造。
【請求項３】
請求項１記載の便利な洗濯機構造において、前記嵌装部品上に回転槽の槽軸に嵌装するために供された嵌装孔を設けることを特徴とする、便利な洗濯機構造。
【考案の詳細な説明】
【技術分野】
【０００１】
本考案は、便利な洗濯機構造に関り、特に、手動操作を必要とせず、駆動効率が高く且つ洗浄効果が更に優れ、衣類の洗濯に適した便利な洗濯機構造のものである。
【背景技術】
【０００２】
従来の便利な洗濯機の構造は、固定フレーム上に槽軸を設け、洗濯回転槽を槽軸上に固定し、槽軸と回転槽を固定フレーム上において回転でき、その槽軸上に操作棒を設け、操作棒により回転槽を回転駆動させることで、回転槽内の衣類の相互間の揉み洗い効果を生じさせ、衣類を洗浄する目的を達していたが、前記種類の便利な洗濯機構造は、使用時の操作棒の方法により洗濯回転槽を前後３６０に回転させるのみであり、手動操作し易すくなく、且つ力を使う時間も費やされ、更に、容易に回転槽の速さが不均一になりがちで、回転力も均一状態に制御することが難しく、衣類間の揉み洗いが十分にならないことにより、実際の洗浄効果が良好とならないため、改善の必要があった。
【考案の開示】
【考案が解決しようとする課題】
【０００３】
上記の従来技術の欠点に鑑み、本考案の主要な目的は、手動操作を必要とせずに、駆動効率が高く且つ洗浄効果が良好で、衣類を洗濯するのに適切で便利な洗濯機構造を提供することにある。
【課題を解決するための手段】
【０００４】
上記の目的を達成するため、本考案は、以下の技術手段を採ることで達成し、前記便利な洗濯機構造は主に回転槽及び固定台で構成される。
【０００５】
前記回転槽の上端部に衣類投入口を設け、下端部に排水口を設けてあり、前記衣類投入口を介して衣類を回転槽内部に投入でき、また蓋で前記衣類投入口を閉めることで密閉の円筒体を形成させ、回転槽の両側端面上に槽軸を設け、固定台の軸孔内に対応して挿通することで、固定台と一体に直結することができる。
【０００６】
前記固定台は、適切に設計されたもので、その一側端縁部内に回転槽の一側槽軸が可動枢着できる軸孔を設け、他側端縁部内に軸座を設け、前記軸座が凹陥する受け溝で、その凸面上に軸孔を設け、回転槽の他側の槽軸を枢着でき、保護ハウジングを受け溝内部に嵌設させでき、前記保護ハウジングの片側に軸座軸孔位置に対応する貫通孔を設け、保護ハウジング内にクラッチ機構を嵌装するモータを設けてあり、前記クラッチ機構前端が嵌装部材に連結することで一体化して前記保護ハウジング内部に設置する。
【０００７】
前記クラッチ機構を前記モータの回転軸上に嵌装することで、モータ回転軸の回転速度を制御でき、前記嵌装部材上に嵌装孔を設け、回転槽の槽軸をその上に嵌装できることで、回転槽の槽軸をモータ回転軸の駆動により前後３６０度の回転を呈することができる。
【考案の効果】
【０００８】
上記の組み立てを介することで、洗濯時、モータにより回転槽が前後３６０度回転を駆動させ、衣類を回転槽内部で相互間の揉み洗い及びたたき洗い効果を生じさせ、回転で生じた遠心力を介して汚れを衣類から除去し、同時に好ましい洗濯効果を得、及び衣類が回転槽内において、モータ回転速度の高すぎによって損壊させないように、前記モータ回転軸端側に更にクラッチ機構を設け、モータ回転速度の制御により洗濯に最適な必要回転速度を得ることができる。
【実施例】
【０００９】
以下に図を組み合わせて本考案の好ましい実施形態及び作動原理について更に一歩進んだ説明を行うことで更に理解することができる。
【００１０】
図１は、本考案の立体分解図であり、図からも明確にわかるように、前記便利な洗濯機構造は、主に回転槽１及び固定台２で構成される。
【００１１】
前記回転槽１の上端部に衣類投入口１５を設け、下端部に排水口１４を設けてあり、前記衣類投入口１５を介して衣類を回転槽１内部に投入でき、また蓋１１で前記衣類投入口１５を閉めることで密閉の円筒体を形成させ、回転槽１の両側端面上に槽軸１２、１３を設け、固定台２の軸孔２２１、２２２内に対応して挿通することで、固定台２と一体に直結することができる。
【００１２】
前記固定台２は、適切に設計されたもので、その一側端縁部２１内に回転槽１の一側槽軸１２が可動枢着できる軸孔２１１を設け、他側端縁部２２内に軸座２２１を設け、前記軸座２２１が凹陥する受け溝で、その凸面上に軸孔２２２を設け、回転槽１の他側の槽軸１３を枢着でき、保護ハウジング３を受け溝内部に嵌設させでき、前記保護ハウジング３の片側に軸座２１１軸孔２２２位置に対応する貫通孔３１を設け、保護ハウジング３内にクラッチ機構５を嵌装するモータ４を設けてあり、前記クラッチ機構５前端が嵌装部材５１に連結することで一体化して前記保護ハウジング３内部に設置する。
【００１３】
前記クラッチ機構５を前記モータ４の回転軸４１上に嵌装することで、モータ４回転軸４１の回転速度を制御でき、前記嵌装部材５１上に嵌装孔５１１を設け、回転槽１の槽軸１３をその上に嵌装できることで、回転槽１の槽軸１３をモータ４回転軸４１の駆動により前後３６０度の回転を呈することができ、前記側端縁部２２上にモータ４及びクラッチ機構５の作動を制御できる制御モジュール２２３を設けることで、前記便利な洗濯機が全自動の構造となる。
【００１４】
上記を組み立てた後で、図２に示す立体外観図の態様で、前記回転槽１が可動するように固定台２上に設置され、同時に図３及び図４は本考案の作動見取図及び側面見取図であり、図に示すように、洗濯時、モータ４により回転槽１が前後３６０度回転を駆動させ、衣類を回転槽１内部で相互間の揉み洗い及びたたき洗い効果を生じさせ、回転で生じた遠心力を介して汚れを衣類から除去し、同時に好ましい洗濯効果を得、及び衣類が回転槽１内において、モータ４回転速度の高すぎによって損壊させないように、前記モータ４回転軸４１端側に更にクラッチ機構５（図１に示す）を設け、モータ４回転速度の制御により洗濯に最適な必要回転速度を得ることができ、回転速度を均一状態に制御させることで、衣類間の揉み洗いを十分にさせることで、実際の洗浄効果が更に良好となる。
【００１５】
以上は、本考案の説明に好ましい実施例であり、本考案の実施範囲を限定するものではなく、本考案の実用新案登録請求の範囲に基づきなしうる細部の改変と修飾などは、いずれも本考案の保護範疇にある。
【００１６】
上記をまとめると本考案が提供する便利な洗濯機新規性を持ち、且つ進歩性を具備する創作であり、これにより、考案の実用新案登録要件を満たしているので法律に則って出願するため、審査官皆様のご審査により、一日も早く実用新案権としていただくよう切に願います。
【図面の簡単な説明】
【００１７】
【図１】本考案の立体分解図である。
【図２】本考案の立体外観図である。
【図３】本考案の作動見取り図である。
【図４】図３の側面見取り図である。
【符号の説明】
【００１８】
１  回転槽
１１  蓋
１２  槽軸
１３  槽軸
１４  排水口
１５  衣類投入口
２  固定台
２１  端縁部
２１１  軸孔
２２  端縁部
２２１  軸座
２２２  軸孔
２２３  制御モジュール
２２４  蓋体
３  保護ハウジング
３１  貫通孔
４  モータ
４１  回転軸
５  クラッチ機構
５１  嵌装部材
５１１  嵌装孔
【図１】
0003125467.tif 000003
【図２】
0003125467.tif 000004
【図３】
0003125467.tif 000005
【図４】
0003125467.tif 000006